(57)【要約】【課題】加熱調理器Ａ上の鍋類から発生した油煙を拡散させずに、油付着材に集約して付着させ、洗浄作業を簡易にすることを目的とする。【解決手段】加熱調理器上の左右へ飛散する油煙を遮断する側面パネル１と、油煙を付着させる油付着材２と、上方換気扇に空気を吐き出す吐出口４と、を本体５に備え、前記本体５の内部にファン６と、前記ファン６を駆動させるモータ７を設け、加熱調理器Ａ上から油付着材へ向かう気流を形成できる。【選択図】  図１
2004301346.tif 000002
【特許請求の範囲】
【請求項１】
加熱調理器周辺へ飛散する油煙を遮断する側面パネルと、油煙を付着させる油付着材を設けた吸込み口と、上方向に空気を吐き出す吐出口を備えた本体と、この本体内に前記吸込み口から吐出口までの空気流路に、ファンとモータからなる送風手段を設け、加熱調理器上の鍋類からの油煙を前記吸込み口へ向かう吸込み気流を前記側面パネルにより誘導するように形成したことを特徴とする送風装置。
【請求項２】
側面パネルを着脱可能に設置したことを特徴とする請求項１に記載の送風装置。
【請求項３】
本体の天面に吸込み風速を変位させる風速変位装置を設置したことを特徴とする請求項１または２に記載の送風装置。
【請求項４】
油付着材の下部に油受け皿を設置したことを特徴とする請求項１乃至３のいずれかに記載の送風装置。
【請求項５】
油受け皿にフッ素樹脂被膜層を設けた請求項４に記載の送風装置。
【請求項６】
油受け皿の前面を透明材にしたことを特徴とする請求項４または５に記載の送風装置。
【発明の詳細な説明】
【０００１】
【発明の属する技術分野】
本発明は、加熱調理器使用時において、油煙等を回収するために用いる送風装置に関する。
【０００２】
【従来の技術】
従来の加熱調理器周辺の油煙を遮断するためには、遮断壁パネルを設置されたものが知られている（例えば、特許文献１参照）。
【０００３】
以下、その遮断壁パネルについて図７を参照しながら説明する。
【０００４】
図７に示すように、コンロの遮断壁パネル１０１はコーナー部材１０２と板１０３と棒材１０４と溝１０５とコンロ１０６からなり、パネルを構成する面を、互いに解除可能な係合形状を有する複数の単位の板をその係合形状で係合させて組み立てるようにしたことを特徴とする油遮断パネルである。
【０００５】
【特許文献１】
特開平１０−３３９４５６号公報（第７図）
【０００６】
【発明が解決しようとする課題】
このような従来の遮断パネル１０１では、調理時に加熱調理器上の鍋類から発生した油煙が調理作業や空調設備等の吹出し気流により拡散して、板１０３やコーナー部材１０２に付着するため、板１０３やコーナー部材１０２の汚れの洗浄時には洗浄面積が大きくなり、洗浄労力や洗浄時間を要するという課題があり、油煙をなるべく小さな面積に集約し洗浄作業労力や時間を軽減することが要求される。
【０００７】
本発明は、このような従来の課題を解決するものであり、加熱調理器上から油付着材へ向かう気流を形成させて、加熱調理器上の鍋類から発生する油煙を拡散させずに、油付着材に集約して付着させ、洗浄面積を小さくさせ、洗浄作業を簡易にすることができる送風装置の提供することを目的としている。
【０００８】
【課題を解決するための手段】
本発明の送風装置は上記目的を達成するために、加熱調理器周辺へ飛散する油煙を遮断する側面パネルと、油煙を付着させる油付着材を設けた吸込み口と、上方向に空気を吐き出す吐出口を備えた本体と、この本体内に前記吸込み口から吐出口までの空気流路に、ファンとモータからなる送風手段を設け、加熱調理器上の鍋類からの油煙を前記吸込み口へ向かう吸込み気流を、前記側面パネルにより誘導するように形成したものである。
【０００９】
本発明によれば、加熱調理器上の鍋類から油付着材へ向かう気流を形成できる送風装置が得られる。
【００１０】
また、側面パネルを着脱可能に設置したものであり、側面パネルに付着した汚れの洗浄時には側面パネルを外し洗浄作業労力や時間を軽減することができる。
【００１１】
また、本体の天面に吸込み風速を変位させる風速変位装置を設けることとしたものであり、油煙の発生量の変化に適合した効率の良い吸込み気流を形成できる。
【００１２】
また、油付着材の下部に油受け皿を設けたものであり、油付着材に油が飽和し、油付着材で飽和のため付着されずに下部に落下する油を受けて、加熱調理器などを汚染することを避けることができる。
【００１３】
また、油受け皿に、剥理性の良いフッ素系樹脂被膜層を設けたものであり、油受け皿に溜まった油分の洗浄作業を容易にできる。
【００１４】
また、油受け皿の前面部材に透明材を設けたものであり、油受け皿の洗浄作業の時期を容易に確認できる。
【００１５】
【発明の実施の形態】
以下本発明の実施の形態について、図面を参照しながら説明する。
【００１６】
（実施の形態１）
図１は本発明の実施の形態１における本体外観を示す斜視図である、図２は本発明の実施の形態１における本体の縦断面図である。
【００１７】
図１，図２に示すように、加熱調理器Ａ周辺へ飛散する油煙を遮断する側面パネル１と、本体５正面に油煙を付着させる油付着材２を吸込み口３に設け、前記本体５上部に天井部に設けられた換気扇Ｂに空気を吐き出す吐出口４を備えている、前記本体５の内部に前記吸込み口３から前記吐出口４への空気流路にファン６と、このファン６を駆動させるモータ７とからなる送風手段を設け、加熱調理器Ａ上の鍋類からの油煙を前記吸込み口３へ向かう吸込み気流を前記側面パネル１により誘導するように形成した送風装置である。
【００１８】
このように構成された送風装置において、モータ７を運転することにより、ファン６が回転し、吐出口４から吐出し気流９を吐き出す。
【００１９】
これによって、本体５の内部は圧力が低下し、油付着材２の前面近傍に吸込み気流８が発生し、加熱調理器具Ａ上の鍋類から発生した油煙は、この気流に沿って、油付着材２に向かう。そして、油煙の一部は油付着材２に付着し、残りの油はさらに、ファン６を通過し、吐出口４を経て上部方向へ吐き出し、吐出し気流９に沿って上部の換気扇Ｂへ向かう。
【００２０】
加熱調理器Ａ上の鍋類から前記油吸着材２へ向かう吸込み気流８を形成して、油煙の拡散範囲を狭くすることができる。
【００２１】
また、上部の換気扇Ｂの油煙付着量を低減できて、換気扇Ｂの油煙の洗浄作業を簡易にすることができる。
【００２２】
なお、本実施の形態の側面パネル１を着脱可能にしておけば、側面パネル１の洗浄作業がより簡易にすることができる。
【００２３】
（実施の形態２）
図３は、本発明の実施の形態２における本体外観を示す斜視図である。
【００２４】
図３において、図１，図２と同じ構成要素については同じ符号を付けて、詳細な説明は省略する。
【００２５】
図３に示すように、本体５の天面に、この本体５内のファン６の吸込み風速を変位させる風速変位装置１０が設けられている。
【００２６】
以上のように構成された送風装置において、風速制御装置１０は、モータ７の回転数を変位させることで、ファン６の回転数が高くなり、吐出口４から前記実施の形態１よりも大きい吸込み気流８が油付着材２の前面近傍に発生する。
【００２７】
このように過熱調理器Ａ上の鍋類で通常調理より多い油煙を発生する調理作業をした時に、実施の形態１大きい吸込み気流８に沿って集約されるため、油煙を多く発生する調理時でも油煙の拡散範囲を狭くすることができる。また、上部の換気扇Ｂの油煙付着量を低減できて、換気扇Ｂの油煙の洗浄作業を簡易にすることができる。
【００２８】
（実施の形態３）
図４は、本発明の実施の形態３における本体の縦断面図である。
【００２９】
図４において、図１，図２と同じ構成要素については同じ符号を付けて、詳細な説明は省略する。
【００３０】
図４に示すように、油付着材２の下部に油受け皿１１を設けることとしたものである。
【００３１】
以上のように構成された送風装置において、油付着材２で油が飽和し、付着されずに下部に落下する油を油受け皿１１に受けることができる。
【００３２】
このように油付着材２から落下した油が加熱調理器Ａなどを汚染することを避けることができる。
【００３３】
なお、本実施の形態３において、単に油受け皿１１を設けることにしたが、図５に示すように、油受け皿１１の表面にフッ素系樹脂被膜層１２を設けたものにすることにより、油受け皿１１に溜まった油分の洗浄作業時には、被膜したフッ素形樹脂被膜層１２による低摩擦効果により、油受け皿１１に溜まった油分の洗浄作業をより容易にすることができる。
【００３４】
なお、前記の実施の形態では、油受け皿１１の被膜にフッ素樹脂被膜層１２を用いたが、フッ素系樹脂被膜層に代えてポリシロキサン樹脂被膜層を用いてもよく、その作用効果に差異を生じない。
【００３５】
また、図６に示すように、油受け皿１１の前面部材に透明材１３を設けることにより、加熱調理時の作業中に作業者の視線から、油受け皿１１に溜まった油量が可視でき、油け皿１１の洗浄時期を容易に確認できるため、洗浄されずに油受け皿１１から溢れて加熱調理器Ａなどを汚染することを避けることができる。
【００３６】
なお、実施の形態１から実施の形態３では、台所に設置されている加熱調理器Ａ周囲に設置の説明したが、各図面に示すように可搬可能としているので、ダイニングやリビングでの卓上で実施される卓上調理器具周囲にも可搬設置して使用し、ダイニングやリビングへの飛散される油煙を遮断できる送風装置としてもよい。
【００３７】
【発明の効果】
以上のように、本発明の送風装置によれば、加熱調理器上の鍋類から油付着材へ向かう気流を形成して、拡散範囲を狭くし器具本体の洗浄作業や上部の換気扇の洗浄作業を簡易にできる送風装置が供給できる。
【００３８】
さらに、風速変位制御装置を設置し、油煙の多い調理作業時にも効率の良い吸込み気流を形成して、拡散範囲を狭くし器具本体の洗浄作業や上部の換気扇の洗浄作業を簡易にできる送風装置が供給できる。
【００３９】
また、油受け皿を提供し、加熱調理器などへの汚染を避け、油受け皿本体の洗浄も容易にできる送風装置を供給できる。
【図面の簡単な説明】
【図１】本発明の実施の形態１における本体外観を示す斜視図
【図２】同、本体の縦断面図
【図３】本発明の実施の形態２における本体外観を示す斜視図
【図４】本発明の実施の形態３における本体の縦断面図
【図５】同、他の実施の形態における本体の縦断面図
【図６】同、他の実施の形態における本体外観を示す斜視図
【図７】従来の油拡散防止パネルの斜視図
【符号の説明】
１    側面パネル
２    油付着材
３    吸込み口
４    吐出口
５  本体
６    ファン
７    モータ
８    吸込み気流
９  吐出し気流
１０    風速変位装置
１１  油受け皿
１２    フッ素系樹脂被膜層
１３    透明材
Ａ        加熱調理器
Ｂ        換気扇
【図１】
2004301346.tif 000003
【図２】
2004301346.tif 000004
【図３】
2004301346.tif 000005
【図４】
2004301346.tif 000006
【図５】
2004301346.tif 000007
【図６】
2004301346.tif 000008
【図７】
2004301346.tif 000009